(57)【要約】  【課題】揚圧力によるエネルギーを低減させる開口部を簡単に形成することができるとともに、揚圧力のエネルギー低減の効果を向上させて捨て石マウンド上に安定的に設置することが可能な被覆ブロックを提供する。  【解決手段】捨て石により構築された捨て石マウンドの表面を被覆する被覆ブロック１０であって、捨て石マウンド上を覆う平面視四角形をしたブロック本体部１１を備え、ブロック本体部１１に天面から底面にかけて貫通した平面視概略Ｈ形状、十字形状、Ｘ形状、或いはＣ、Ｅ、Ｋ、Ｍ、Ｎ、Ｓ、Ｔ、Ｕ、Ｖ、Ｗ、Ｙ、卍、＊等の文字形状若しくは記号形状に形成した１つの開口部１４を設けた。【選択図】図２
2013177747.tif 000002
【特許請求の範囲】
【請求項１】
捨て石により構築された捨て石マウンドの表面を被覆する被覆ブロックであって、
前記捨て石マウンド上を覆う平面視四角形をしたブロック本体部を備え、該ブロック本体部に天面から底面にかけて貫通した平面視概略Ｈ形状、十字形状、Ｘ形状、或いはＣ、Ｅ等の文字形状又は卍、＊等の記号形状に形成した１つの開口部を設けてなることを特徴とする被覆ブロック。
【請求項２】
上記ブロック本体部の平面視４辺の概略中央にそれぞれ外方へ突出してなる突出部を設け、該突出部相互が突き合うように配列したとき前記ブロック本体部の周囲に平面視概略十字状の空隙が形成されることを特徴とする請求項１記載の被覆ブロック。
【請求項３】
上記ブロック本体部の底面四隅にそれぞれ下方へ向かって突出してなる脚部を設けたことを特徴とする請求項１または２記載の被覆ブロック。
【請求項４】
上記ブロック本体部の天面肩部をそれぞれテーパー状に面取りしてなることを特徴とする請求項１,２または３記載の被覆ブロック。
【発明の詳細な説明】
【技術分野】
【０００１】
本発明は、例えば港湾、海岸、河川等で捨て石により構築された捨て石マウンドの表面を被覆する被覆ブロックに関するものである。
【背景技術】
【０００２】
従来より、港湾や海岸、河川等に防波堤、突堤、潜堤、離岸堤、護岸、水制、などの構造物が構築される場合、沈下や洗掘を防止する等の理由から、その構造物の基礎として捨て石を敷き並べて基礎部(以下、これを「捨て石マウンド」という)を形成し、更にその捨て石マウンドの表面をコンクリート製の被覆ブロックで覆い、波浪力や流体力により捨て石が流動するのを抑えて保護することが知られている（例えば、特許文献１、特許文献２参照）。
【０００３】
また、前記波浪力あるいは流体力は、沖側から岸側へ向かう波の力(水平波力)あるいは上流から下流へ向かう掃流力と、被覆ブロックの下側から該被覆ブロックを持ち上げようとする力(揚圧力)を有する。したがって、この種の被覆ブロックは、この波浪力や流体力を受けると、捨て石マウンド上を浮遊移動し、敷設状態が崩壊する虞がある。そこで、被覆ブロックを設置する際、上記水平波力あるいは掃流力と揚圧力によるエネルギーの吸収を目的として、平面視四角形をした被覆ブロック相互間の噛み合わせや連結に種々の工夫を凝らす、あるいは被覆ブロックに消波機能として、天面から底面にかけて貫通した開口部を設けたもの等が知られている。
【０００４】
そして、上記特許文献１及び特許文献２に記載の被覆ブロックは、該被覆ブロックに天面から底面にかけて貫通した平面視円形状、若しくは長孔形状、または四角形状をした複数個の開口部を設け、捨て石マウンド側からの揚圧力を該開口部により低減させるようにした構造が開示されている。すなわち、この被覆ブロック構造では、下面側からの揚圧力は開口部を通って被覆ブロック上に抜け、開口部が揚圧力によるエネルギーを低減させ、これにより該被覆ブロックが浮き上がって不安定になるのを抑えることができる。
【先行技術文献】
【特許文献】
【０００５】
【特許文献１】特開昭６４−８３７１０号公報。
【特許文献２】特開平１０−３２５１２８号公報。
【発明の概要】
【発明が解決しようとする課題】
【０００６】
しかしながら、上記特許文献１及び特許文献２に記載の被覆ブロックは、該被覆ブロックに天面から底面にかけて貫通した平面視円形状、若しくは長孔形状、または四角形状をした複数個の開口部を設けて揚圧力を低減させるようにした構造となっている。また、各開口部の大きさは、捨て石が開口部を通って抜け出ないことが必要であることから小さく、この小さな複数個の開口部は個々に独立した状態で形成されている。このため、開口部は１個ずつ形成するので作業が面倒であり、コスト高になっているという問題点があった。
【０００７】
そこで、揚圧力によるエネルギーを低減させる開口部を簡単に形成することができるとともに、揚圧力のエネルギー低減の効果を向上させて捨て石マウンド上に安定的に設置することが可能な被覆ブロックを提供することを目的とする。
【課題を解決するための手段】
【０００８】
本発明は上記目的を達成するために提案されたものであり、請求項１記載の発明は、捨て石により構築された捨て石マウンドの表面を被覆する被覆ブロックであって、前記捨て石マウンド上を覆う平面視四角形をしたブロック本体部を備え、該ブロック本体部に天面から底面にかけて貫通した平面視概略Ｈ形状、十字形状、Ｘ形状、或いはＣ、Ｅ等の文字形状又は卍、＊等の記号形状に形成した１つの開口部を設けてなる被覆ブロックを提供する。
【０００９】
この構成によれば、被覆ブロックを成形する時、ブロック本体の部分に、平面視で例えば概略Ｈ形状、十字形状、Ｘ形状、或いはＣ、Ｅ、等の文字形状若しくは卍、＊、等の記号形状を呈する、１つの大きな開口部を同時に形成できる。斯くして、一つのスリットで連なった面積の広い開口部を設けることにより、コンクリート量が節減できる。
【００１０】
なお、この開口部は、そのスリット幅を捨て石が通過しにくい幅に設定しておけば捨て石が抜けにくく、捨て石を被覆ブロックの下側に安定的に保持しておくことができる。また、開口部内に取り込まれて来る波は、一つのスリットで連なっている面積の広い該開口部内で分散され、この分散により波の揚圧力のエネルギーは放散されて低減し、被覆ブロックの安定的な設置を可能にする。
【００１１】
請求項２記載の発明は、請求項１記載の構成において、上記ブロック本体部の平面視４辺の概略中央にそれぞれ外方へ突出してなる突出部を設け、該突出部相互が突き合うように配列したとき前記ブロック本体部の周囲に平面視概略十字状の空隙が形成される被覆ブロックを提供する。
【００１２】
この構成によれば、捨て石マウンドの表面に敷き並べた各被覆ブロック間に平面視概略十字状の空隙が形成されるので、各被覆ブロックの外周部近くでの揚力を該空隙で抜くことができ、更に揚圧力のエネルギーを低減できる。また、各被覆ブロック間に空隙を設けることにより、施工領域内におけるコンクリート量が節減できる。
【００１３】
請求項３記載の発明は、請求項１または２記載の構成において、上記ブロック本体部の底面四隅にそれぞれ下方へ向かって突出してなる脚部を設けた被覆ブロックを提供する。
【００１４】
この構成によれば、ブロック本体部の底面四隅にそれぞれ設けた脚部により、捨て石マウンド上にブロック本体を敷設する時不陸調整が容易にできる。また、脚部を捨て石マウンド内に埋め込ませた状態で設置することも可能になる。
【００１５】
請求項４記載の発明は、請求項１，２または３記載の構成において、上記ブロック本体部の天面肩部をそれぞれテーパー状に面取りしてなる被覆ブロックを提供する。
【００１６】
この構成によれば、ブロック本体部の天面肩部にテーパー状の面取りを設けることにより、被覆ブロックのコンクリート量を節減できる。
【発明の効果】
【００１７】
請求項１記載の発明は、ブロック本体の成形時に１つの大きな開口部を同時に形成することができるので、作業性の向上とコンクリート量の節減が可能になる。この結果、コスト低減が期待できる。また、平面視概略Ｈ形状、十字形状、Ｘ形状、或いはＣ、Ｅ等の文字形状又は卍、＊等の記号形状をなす一つのスリットで連なる開口部とすることにより、捨て石を抜けにくくすると共に開口部内に取り入れられた波のエネルギーを放散させることができるので、エネルギーの低減が効率良く図れ、被覆ブロックを安定的に設置できる効果が期待できる。
【００１８】
請求項２記載の発明は、突出部相互が突き合うように配列したときブロック本体部の周囲に形成される平面視概略十字状の空隙における揚圧力のエネルギーも抜くことができるので、被覆ブロックを更に安定的に設置することができる。また、同時に施工領域内におけるコンクリート量も節減でき、更にコスト低減が期待できる。
【００１９】
請求項３記載の発明は、捨て石マウンド上にブロック本体を敷設する際、被覆ブロックの不陸調整が容易にできる。更にブロックに「流れ」が作用するとブロック上面に上向きの圧力が生じるが、脚部があることによりブロック本体部の下面にも「流れ」が作用するので下向きの圧力が生じ、前記上向きの圧力が相殺され、ブロックの安定性が増す。
【００２０】
請求項４記載の発明は、被覆ブロックのコンクリート量を更に節減できるので、更にコスト低減が期待できる。
【図面の簡単な説明】
【００２１】
【図１】本発明に係る被覆ブロックを防波堤等の基礎になる捨て石マウンド上に設置した実施構造の一例を示す断面図。
【図２】同上実施構造の平面図。
【図３】同上被覆ブロックの斜視図。
【図４】同上被覆ブロックの平面図。
【図５】同上被覆ブロックの正面図。
【図６】同上被覆ブロックの側面図。
【図７】同上被覆ブロックの底面図。
【図８】十字状の開口部を有する被覆ブロックの平面図。
【図９】Ｘ字状の開口部を有する被覆ブロックの平面図。
【図１０】斜面状の捨て石マウント上に被覆ブロックを設置した形態例を示す断面図。
【発明を実施するための最良の形態】
【００２２】
本発明は、揚圧力によるエネルギーを低減させる開口部を簡単に形成することができるとともに、揚圧力のエネルギー低減の効果を向上させて捨て石マウンド上に安定的に設置することが可能な被覆ブロックを提供するという目的を達成するために、捨て石により構築された捨て石マウンドの表面を被覆する被覆ブロックであって、前記捨て石マウンド上を覆う平面視四角形をしたブロック本体部を備え、該ブロック本体部に天面から底面にかけて貫通した平面視概略Ｈ形状、十字形状、Ｘ形状、或いはＣ、Ｅ等の文字形状又は卍、＊等の記号形状に形成した１つの開口部を設けたことにより実現した。
【００２３】
以下、本発明に係る被覆ブロックの実施形態を図１乃至図１０を参照しながら詳細に説明する。
【実施例】
【００２４】
図１及び図２は本発明に係る被覆ブロックを防波堤等の基礎になる捨て石マウンド上に設置した実施構造の一例を示す図で、図１はその断面図、図２はその平面図である。
【００２５】
図１及び図２において、本発明に係る被覆ブロック１０は、港湾や海岸、河川等に構築される構造物の基礎として捨て石１０１を敷き並べて形成された基礎部、すなわち捨て石マウンド１０２上に該捨て石マウンド１０２の表面を覆って平面的に並べるようにして複数配置されるものである。
【００２６】
前記被覆ブロック１０の細部構造を図３乃至図７に示す。図３はその被覆ブロック１０の斜視図、図４はその平面図、図５はその正面図、図６はその側面図、図７はその底面図である。
【００２７】
同図において、前記被覆ブロック１０はコンクリート製であり、従来のコンクリート製被覆ブロックと同様に、枠組された型内に生コンクリートを流し込んで固め、その後、型の組枠を外して取り出すことにより製作されるものである。
【００２８】
その被覆ブロック１０は、平面視四角形をしたブロック本体部１１と、該ブロック本体部１１の平面視４辺の略中央部に、それぞれ外側へ向かって突出して形成された４つの突出部１２，１２，１２，１２と、該ブロック本体部１１の底面四隅にそれぞれ下方へ向かって突出して形成された４つの脚部１３，１３，１３，１３を一体に有してなる。
【００２９】
なお、前記ブロック本体部１１の天面肩部１１ａ及び前記突出部１２の天面肩部１２ａは、それぞれ内側から外側に向かって徐々に下るテーパー面にされて面取りされており、その面取りを設けることにより該被覆ブロック１０が使用するコンクリート量を低減させている  。
【００３０】
また、前記ブロック本体１１には、天面から底面にかけて貫通した一つのスリットで連なる平面視概略Ｈ形状をした１つの開口部１４を設けている。なお、該開口部１４の各幅、すなわちスリット幅の最小寸法は、該被覆ブロック１０が前記捨て石マウンド１０２上に配置された際、該捨て石マウンド１０２を形成している前記捨て石１０１が該開口部１４を通って抜け出ない大きさであることが好ましい。
【００３１】
このように形成された前記被覆ブロック１０は、港湾や海岸、河川等に構築される各種構造物の捨て石マウンドに使用する際、図１及び図２に示すように、前記捨て石１０１を敷き並べて形成された前記捨て石マウンド１０２上に、前記脚部１３，１３…を当接配置させた状態で該捨て石マウンド１０２の表面を覆い、かつ平面的に並べて複数配置される。そして、捨て石マウンド１０２を波等のエネルギーから護ることにより各種構造物を安定させる。  
【００３２】
また、前記各被覆ブロック１０を、それぞれ該捨て石マウンド１０２の表面を覆って平面的に並べて配置する際、各被覆ブロック１０，１０…は、図２に示すように、隣接する被覆ブロック１０，１０…同士の前記突出部１２，１２相互が突き合うように配列され、前記各ブロック本体部１１，１１…の周囲に平面視概略十字状の空隙１５，１５…を形成する。なお、この空隙１５，１５…を形成しているスリットの各幅の寸法は、前記開口部１４の幅寸法と同様に、前記捨て石マウンド１０２を形成している捨て石１０１が該空隙１５，１５…を通って抜け出ない大きさであることが好ましい。
【００３３】
そして、前記捨て石マウンド１０２上に設置された前記被覆ブロック１０は、前記脚部１３，１３…が該捨て石マウンド１０２内に埋まり、該捨て石マウンド１０２と一体化する。また、該捨て石マウンド１０２側から開口部１４，１４…及び空隙１５，１５…内に波が作用すると、該波は該開口部１４，１４…及び空隙１５，１５…内で分散されると共に、該開口部１４，１４…及び空隙１５，１５…内を通って上側に抜け、これによって揚圧力のエネルギーを放散し低減して、該被覆ブロック１０，１０…が浮き上がるのを抑える。これにより、該被覆ブロック１０，１０…の安定設置を可能にする。
【００３４】
なお、上記実施例では、前記ブロック本体部１１に設けた開口部１４が平面視概略Ｈ形状をしたものを示したが、概略Ｈ形状に限ること無く、例えば平面視でそれぞれ、図８又は図９に示すように、一つのスリットで連なった十字形状またはＸ形状に形成された開口部１４としても同じ効果が得られるものである。更にこの他、Ｃ、Ｅ、Ｋ、Ｍ、Ｎ、Ｓ、Ｔ、Ｕ、Ｖ、Ｗ、Ｙ、卍、＊、の開口形状でも同様の効果が得られる。
【００３５】
また、上記実施例では、平面状の捨て石マウンド１０２上に被覆ブロック１０を敷設した構造を開示したが、図１０に示すように、防波堤等における傾斜状の捨て石マウンド１０２上に被覆ブロック１０を設置する場合等もあり、それらにも同様にして適用できるものである。
【００３６】
叙上の如く、本発明によると、被覆ブロックを成形する時、ブロック本体の部分に、平面視概略Ｈ形状、十字形状、Ｘ形状、或いはＣ、Ｅ、Ｋ、Ｍ、Ｎ、Ｓ、Ｔ、Ｕ、Ｖ、Ｗ、Ｙ、卍、＊等の文字形状若しくは記号形状に形成した１つの開口部を同時に形成することにより、一つのスリットで連なった面積の広い開口部を形成することが可能となり、作業性を向上させつつ、コンクリート量を節減することができる。
【００３７】
また、前記開口部は、そのスリット幅を捨て石が通過しにくい幅に設定することにより、捨て石が抜けにくく、捨て石を被覆ブロックの下側に安定的に保持しておくことができる。さらに、開口部内に取り込まれる波は、面積の広い該開口部内で分散されることにより、波の揚圧力のエネルギーを効率良く放散させて低減し、被覆ブロックを安定的に設置することができる。
【００３８】
本発明によれば、捨て石マウンドの表面（傾斜面等を含む）に敷き並べた各被覆ブロック間に平面視概略十字状の空隙が形成されるので、各被覆ブロックの外周部近くでの揚力を該空隙で抜くことができ、揚圧力のエネルギーを低減でき、加えて、前記空隙を設けることにより、施工領域内におけるコンクリート量が節減できる。
【００３９】
さらに、ブロック本体部の底面四隅にそれぞれ設けた脚部により、捨て石マウンド上にブロック本体を敷設する時に不陸調整を容易に行うことができる。また、前記ブロックに「流れ」が作用すると、該ブロック上面に上向きの圧力が生じるが、前記脚部により、ブロック本体部の下面にも「流れ」が作用するので、下向きの圧力が生じ、前記上向きの圧力が相殺され、前記ブロックの安定性が一層増大する効果を奏しうる。
【００４０】
更に又、ブロック本体部の天面肩部にテーパー状の面取りを設けることにより、被覆ブロックのコンクリート量を節減できるので、更なるコスト低減効果が期待できる。
【００４１】
さらに、本発明は、本発明の精神を逸脱しない限り種々の改変を為すことができ、そして、本発明が該改変されたものに及ぶことは当然である。
【産業上の利用可能性】
【００４２】
本発明は港湾、海岸、河川等で捨て石により構築された捨て石マウンドの表面を被覆する被覆ブロックに限らず、例えば堤防の法面等にも応用できる。
【符号の説明】
【００４３】
１０      被覆ブロック
１１      ブロック本体部
１１ａ    肩部
１２      突出部
１３      脚部
１４      開口部
１５      空隙
１０１    捨て石
１０２    捨て石マウンド
【図１】
2013177747.tif 000003
【図２】
2013177747.tif 000004
【図３】
2013177747.tif 000005
【図４】
2013177747.tif 000006
【図５】
2013177747.tif 000007
【図６】
2013177747.tif 000008
【図７】
2013177747.tif 000009
【図８】
2013177747.tif 000010
【図９】
2013177747.tif 000011
【図１０】
2013177747.tif 000012